(57)【要約】【課題】単一の逆止弁によって高圧ガスの逆流を確実に防止できるようにした逆止弁装置および手動開閉弁装置を提供する。【解決手段】逆止弁装置８は、第１ハウジング２１と、第１ハウジングにねじ込みによって締結される第２ハウジング２２と、第１ハウジングに内包された逆止弁体２３と、第１ハウジングと第２ハウジングとの間に配設され、逆止弁体が接離する弁座２９を形成した樹脂製シート２７を備え、樹脂製シートは、第１ハウジングの第２ハウジングへの締結により押し潰されて、第１ハウジングの弁座側の端面との面圧が高められるようになっており、第１ハウジングの端面に環状凹溝４１が形成され、環状凹溝に樹脂製シートによって押縮されるシールリング４２が装着されている。【選択図】図２
2009074625.tif 000002
【特許請求の範囲】
【請求項１】
高圧ガスを貯蔵するガスタンクに設けられた栓体ハウジングと、該栓体ハウジングに形成された収容孔に収容され、前記ガスタンクに貯蔵された高圧ガスの逆流を防止する逆止弁装置であって、
該逆止弁装置は、前記収容孔に嵌装される第１ハウジングと、該第１ハウジングにねじ込みによって締結され前記収容孔に嵌装される第２ハウジングと、前記第１ハウジングに内包された逆止弁体と、前記第１ハウジングと前記第２ハウジングとの間に配設され、前記逆止弁体が接離する弁座を形成した樹脂製シートを備え、
前記樹脂製シートは、前記第１ハウジングの前記第２ハウジングへの締結により押し潰されて、前記第１ハウジングの前記弁座側の端面との面圧が高められるようになっており、
前記第１ハウジングの端面に環状凹溝が形成され、該環状凹溝に前記樹脂製シートによって押縮されるシールリングが装着されていることを特徴とする逆止弁装置。
【請求項２】
請求項１において、前記樹脂製シートは、第１ハウジングの前記第２ハウジングへの締結により押し潰されることにより弾性変形して前記環状凹溝内に嵌り込むようになっていることを特徴とする逆止弁装置。
【請求項３】
請求項１または請求項２に記載の逆止弁装置に、手動開閉弁装置を直列に配置し、該手動開閉弁装置は、前記栓体ハウジングの前記収容孔に螺着され、前記第１ハウジングおよび前記第２ハウジングを前記収容孔内に固定するプラグと、該プラグに摺動可能に嵌装され、前記逆止弁装置の前記第２ハウジングに形成された開閉流路を開閉する開閉弁体を備え、該開閉弁体により開閉流路を開いて高圧ガスを前記逆止弁体を介してガスタンクに充填するように構成されていることを特徴とする手動開閉弁装置。
【発明の詳細な説明】
【技術分野】
【０００１】
本発明は、水素等の高圧ガスを貯蔵するガスタンクに用いられる逆止弁装置およびそれを用いた手動開閉弁装置に関するものである。
【背景技術】
【０００２】
一般に、ガスタンクの開口部を閉塞する栓体には、ガスタンク内部とその外部とを連通する複数の流路、および各流路内の高圧ガスの流通を遮断する手動開閉弁等、複数の弁装置が設けられている。この種の弁装置として、例えば、特許文献１に記載されたものが知られている。
【０００３】
ところで、近年、燃料電池車等に搭載される水素用ガスタンクにおいては、貯蔵容量の増加を図るため一層の高圧化が進められており、その高圧化に応じたより高い信頼性が求められている。このために、特許文献１に記載されているように、例えば、ガスタンク内に水素ガスを充填する充填路に、上記した手動開閉弁の他に、貯蔵水素の逆流を防止する逆止弁が設けられるが、この逆止弁を高圧化に応じた信頼性を確保するために多重化して冗長性を持たせた構成としている。
【特許文献１】特開２００６−１４４８４１号公報
【発明の開示】
【発明が解決しようとする課題】
【０００４】
しかしながら、上記した特許文献１に記載のものにおいては、逆止弁を多重化した構成を採用しているため、信頼性は確保できるが、弁装置の部品点数が増加し、大型化するとともに、コスト高となる問題がある。
【０００５】
また、特許文献１に記載のものにおいては、逆止弁の弁体が接離する弁座を形成した蓋体（２５，２６）が、弾性材料により形成されており、蓋体の弾性変形により、そのシール性を確保することができるようになっているが、逆に蓋体には、貯蔵ガスの圧力が作用する逆止弁によって、ハウジング（２３、２４）の端面より離間する方向の荷重が作用されるため、貯蔵ガスが超高圧になると、ハウジングの端面と蓋体との間のシール性が低下する恐れがあり、貯蔵ガスの高圧化に制約を生ずる。
【０００６】
本発明は、上記した従来の問題点を解消するためになされたもので、単一の逆止弁によって高圧ガスの逆流を確実に防止できるようにした逆止弁装置およびそれを用いた手動開閉弁装置を提供することを目的とするものである。
【課題を解決するための手段】
【０００７】
上記の課題を解決するため、請求項１に係る逆止弁装置の発明の特徴は、高圧ガスを貯蔵するガスタンクに設けられた栓体ハウジングと、該栓体ハウジングに形成された収容孔に収容され、前記ガスタンクに貯蔵された高圧ガスの逆流を防止する逆止弁装置であって、該逆止弁装置は、前記収容孔に嵌装される第１ハウジングと、該第１ハウジングにねじ込みによって締結され前記収容孔に嵌装される第２ハウジングと、前記第１ハウジングに内包された逆止弁体と、前記第１ハウジングと前記第２ハウジングとの間に配設され、前記逆止弁体が接離する弁座を形成した樹脂製シートを備え、前記樹脂製シートは、前記第１ハウジングの前記第２ハウジングへの締結により押し潰されて、前記第１ハウジングの前記弁座側の端面との面圧が高められるようになっており、前記第１ハウジングの端面に環状凹溝が形成され、該環状凹溝に前記樹脂製シートによって押縮されるシールリングが装着されていることである。
【０００８】
請求項２に係る逆止弁装置の発明の特徴は、請求項１において、前記樹脂製シートは、第１ハウジングの前記第２ハウジングへの締結により押し潰されることにより、弾性変形によって前記環状凹溝内に嵌り込むようになっていることである。
【０００９】
請求項３に係る手動開閉弁装置の発明の特徴は、請求項１または請求項２に記載の逆止弁装置に、手動開閉弁装置を直列に配置し、該手動開閉弁装置は、前記栓体ハウジングの前記収容孔に螺着され、前記第１ハウジングおよび前記第２ハウジングを前記収容孔内に固定するプラグと、該プラグに摺動可能に嵌装され、前記逆止弁装置の前記第２ハウジングに形成された開閉流路を開閉する開閉弁体を備え、該開閉弁体により開閉流路を開いて高圧ガスを前記逆止弁体を介してガスタンクに充填するように構成されていることである。
【発明の効果】
【００１０】
請求項１に係る逆止弁装置の発明によれば、逆止弁体が接離する弁座を形成した樹脂製シートを、第１ハウジングの第２ハウジングへの締結により押し潰して、第１ハウジングの弁座側の端面との面圧を高めるとともに、第１ハウジングの端面に形成した環状凹溝に樹脂製シートによって押縮されるシールリングを装着した構成であるので、ガスタンクに充填された高圧ガスが逆止弁体に作用することにより、ハウジングの一端と樹脂製シートとの面圧が低下しても、Ｏリングによって水素ガスの漏れを確実に防止することができる。しかも、樹脂製シートはハウジングの端面に密着され、Ｏリングがはみ出すことがないので、バックアップリングを不要にすることができ、これによって、部品点数を削減でき、コスト低減および組付け性を向上することができる。
【００１１】
請求項２に係る逆止弁装置の発明によれば、樹脂製シートは、第１ハウジングの第２ハウジングへの締結により押し潰されることにより、弾性変形によって環状凹溝内に嵌り込むようになっているので、Ｏリングのはみ出しをより一層確実に防止することができる。
【００１２】
請求項３に係る手動開閉弁装置の発明によれば、請求項１または請求項２に記載の逆止弁装置に、手動開閉弁装置を直列に配置し、手動開閉弁装置は、バルブボディの収容孔に螺着され、第１ハウジングおよび第２ハウジングを収容孔内に固定するプラグと、プラグに摺動可能に嵌装され、逆止弁装置の第２ハウジングに形成された開閉流路を開閉する開閉弁体を備えているので、プラグによって逆止弁装置の第１ハウジングおよび第２ハウジングを収容孔に固定することができ、収容孔内に逆止弁装置と手動開閉弁装置を直列に容易に組込むことができる。
【発明を実施するための最良の形態】
【００１３】
以下本発明を水素用ガスタンクに適用した実施の形態について図面に基づいて説明する。本実施の形態のガスタンク１は、図１に示すように、水素ガスを貯蔵するタンク本体２と、その開口部２ａを閉塞する栓体３とを備えており、栓体３には、タンク本体２の内部とその外部を連通する複数の流路およびこれら各流路内の水素ガスの流通を制御する複数の弁装置が設けられている。
【００１４】
具体的には、栓体３に、ガスタンク１内に水素ガスを充填するための充填路５、ガスタンク１内の水素ガスを外部に供給するための供給路６、ならびにガスタンク１内の水素ガスを外部に放出するための開放路７を形成している。
【００１５】
充填路５には、ガスタンク１内に貯蔵された水素ガスの逆流を防止する逆止弁装置８と、水素ガスの流通を遮断すべく外部から手動により操作可能な手動開閉弁装置９が配置されており、供給路６には、減圧弁装置１０、手動開閉弁装置１１および電磁開閉弁装置１２が配置されており、開放路７には、手動開閉弁装置１３が配置されている。
【００１６】
以下、充填路５に配置された逆止弁装置８および手動開閉弁装置９の実施の形態を、図２および図３に基づいて具体的に説明する。
【００１７】
図２において、栓体３を構成する栓体ハウジング１６には、外部に開口する収容孔１７が形成され、収容孔１７には、充填路５を構成する第１流路１８および第２流路１９が接続されている。収容孔１７は、収容孔１７の奥より順番に形成された小径孔１７ａ、中間径孔１７ｂおよび大径孔１７ｃによって構成されており、大径孔１７ｃにはねじ部（めねじ）が形成されている。
【００１８】
逆止弁装置８は、小径孔１７ａから中間径孔１７ｂに亘って配設され、手動開閉弁装置９は、中間径孔１７ｂから大径孔１７ｃに亘って配設されている。そして、小径孔１７ａにガスタンク１の内部（タンク本体２）に連通する第１流路１８が開口され、中間径孔１７ｂにタンク外部に連通する第２流路１９が開口されている。
【００１９】
逆止弁装置８は、収容孔１７の中間径孔１７ｂに収容される第１ハウジング２１と、この第１ハウジング２１の一端にねじ込みによって一体的に締結され、中間径孔１７ｂに嵌合される第２ハウジング２２と、第１ハウジング２１内に収容された逆止弁体２３によって主に構成されている。第１ハウジング２１は、小径孔１７ａに嵌合する小径筒部２１ａを有しており、小径筒部２１ａの外周と小径孔１７ａとの間は、Ｏリングとバックアップリングからなるシール手段２５によってシールされている。
【００２０】
第１ハウジング２１内には、図３にも示すように、逆止弁体２３を収容する弁孔２６が設けられ、弁孔２６の一端は、小径筒部２１ａの中心部に形成された流通路３９を介して第１流路１８に接続されている。弁孔２６の他端には、第１ハウジング２１と第２ハウジング２２との間に挟持されるようにして樹脂製シート２７が配設されている。樹脂製シート２７は、例えば、ポリイミド樹脂からなり、樹脂製シート２７の中心部に貫通孔２８が形成されている。貫通孔２８の弁孔２６側の一端には、弁座２９が形成されている。弁孔２６内には、弁座２９に接離可能なテーパ状のポペットを有する逆止弁体２３が摺動可能に嵌装され、逆止弁体２３はスプリング３０によって弁座２９に当接する方向に付勢されている。
【００２１】
逆止弁体２３には、第１流路１８および流通路３９を介して、高圧の水素ガスがスプリング３０の付勢方向と同方向に作用されるようになっており、これにより、通常は弁座２９を閉塞している。逆止弁体２３内には半径方向通路および軸方向通路が形成され、逆止弁体２３が弁座２９より離間された状態においては、弁座２９を形成した貫通孔２８は、逆止弁体２３に形成された半径方向通路および軸方向通路、ならびに小径筒部１７ａに形成された流通路３９を介して、第１流路１８に連通されるようになっている。
【００２２】
第２ハウジング２２は、筒状をなし、軸方向中央部に隔壁２２ａを有している。隔壁２２ａの一端側には、第１ハウジング２１の一端外周に形成されたねじ部２１ｂをねじ込んで締結するためのねじ穴２２ｂが形成され、他端には、後述する手動開閉弁装置９の開閉弁体５３の先端部に遊嵌する円筒状の凹陥部３３が形成されている。凹陥部３３は隔壁２２ａに形成された開閉流路３４を介して弁座２９に連通されている。
【００２３】
第２ハウジング２２に形成された凹陥部３３の外周側には、第２流路１９に開口するフィルタ３５が装着され、フィルタ３５は第２ハウジング２２に形成された半径方向孔３６を介して凹陥部３３に連通されている。これにより、第２流路１９より水素ガスを、フィルタ３５、凹陥部３３、開閉流路３４および逆止弁体２３等を介してガスタンク１内に供給できるようになっている。
【００２４】
なお、第１ハウジング２１の外周には、六角頭部３７が形成され、また、第２ハウジング２２の外周には、二面幅部３８が形成され、二面幅部３８を利用して第２ハウジング２２を回り止めした状態で、第１ハウジング２１の六角頭部３７を回転させることにより、第２ハウジング２２のねじ穴２２ｂに第１ハウジング２１のねじ部２１ｂをねじ込んで、第１および第２ハウジング２１、２２を一体的に締結できるようになっている。これにより、逆止弁装置８を予めアッシ状態にして栓体ハウジング１６の収容孔１７に収容組付けすることができるようになっている。
【００２５】
上記した逆止弁装置８は、１つの逆止弁体２３によって、高圧の水素ガスの漏れを防止できるように構成されている。そのために、逆止弁体２３が接離する弁座２９を形成した樹脂製シート２７は、第１および第２ハウジング２１、２２の締結によって、第１ハウジング２１の端面と第２ハウジング２２の隔壁２２ａとの間で押し潰され、樹脂製シート２７の一端と第１ハウジング２１の端面との面圧が高められるようになっている。
【００２６】
すなわち、第１および第２ハウジング２１、２２が締結される前においては、樹脂製シート２７は、図５に示すように、略円板状を呈しているが、第１および第２ハウジング２１、２２の締結によって、樹脂製シート２７の周縁部は、図４に示すように、第１ハウジング２１の端面と第２ハウジング２２の隔壁２２ａとの間で押し潰される。これによって、樹脂製シート２７の周縁部は応力が加えられて弾性変形し、樹脂製シート２７の一端と第１ハウジング２１の端面との面圧が高められる。逆に、第１ハウジング２１の端面と第２ハウジング２２の隔壁２２ａとの間で押し潰されることがない樹脂製シート２７の中心部は、弁孔２６内に突入して弁孔２６内に嵌り合うようになる。
【００２７】
樹脂製シート２７との面圧が高められる第１ハウジング２１の端面には、環状凹溝４１が形成され、この環状凹溝４１にシールリングとしてのＯリング４２が装着されている。Ｏリング４２は、第１および第２ハウジング２１、２２が締結される前においては、図３および図４の二点鎖線で示すように、第１ハウジング２１の端面より僅かに突出されており、上記したように樹脂製シート２７の周縁部が第１および第２ハウジング２２の締結により押し潰されることにより、樹脂製シート２７の一端によって押縮される。この際、樹脂製シート２７の弾性力とＯリング４２の弾性力の相互の関係によって、樹脂製シート２７の一端は、Ｏリング４２を押縮しながら変形し、環状凹溝４１内に嵌り込む突部２７ａが形成される。これによって、樹脂製シート２７の一端には、図４に示すように、クリープ量（荷重によって潰される量）の差による段差ｄ１が形成される。
【００２８】
上記した構成の逆止弁装置８によれば、ガスタンク１に充填された高圧の水素ガスの圧力が逆止弁体２３に作用すると、逆止弁体２３は樹脂製シート２７の弁座２９に押付けられる方向に荷重が作用する。このために、逆止弁体２３は樹脂製シート２７の弁座２９に大きな荷重で密着され、その部分でのシール性が向上する。同時に、樹脂製シート２７には、第１および第２ハウジング２１、２２の締結によって発生した樹脂製シート２７の応力を緩和する方向、言い換えれば、樹脂製シート２７の一端と第１ハウジング２１の端面との面圧が低下する方向に荷重が作用する。
【００２９】
その結果、樹脂製シート２７の一端と第１ハウジング２１の端面との間のシール性が低下するが、本実施の形態においては、樹脂製シート２７の一端と第１ハウジング２１の端面との間にＯリング４２が配設されているため、樹脂製シート２７の一端と第１ハウジング２１の端面との面圧が低下しても、Ｏリング４２によって水素ガスの漏れが確実に防止される。
【００３０】
しかも、樹脂製シート２７の一端と第１ハウジング２１の端面との面圧が低下しても、樹脂製シート２７の一端は依然として第１ハウジング２１の端面に隙間なく密着されている。このために、Ｏリング４２に高圧が作用しても、Ｏリング４２が樹脂製シート２７の一端と第１ハウジング２１の端面との間にはみ出すことがなく、バックアップリングを不要にできるようになる。これによって、バックアップリングを使用しなくても、Ｏリング４２のはみ出しに対する信頼性を向上することができ、部品点数の削減が可能となって、コスト低減および組付け性向上に寄与できるようになる。
【００３１】
この際、樹脂製シート２７の一端に、環状凹溝４１に嵌り込む突部２７ａが形成されていれば、逆止弁体２３により大きな荷重が作用する場合であっても、Ｏリング４２のはみ出しをより効果的に防止できるようになる。
【００３２】
手動開閉弁装置９は、図２に示すように、収容孔１７の大径孔１７ｃに形成されたねじ部に螺着される第１プラグ５１および第２プラグ５２と、第１プラグ５１に摺動可能に嵌装された開閉弁体５３と、第２プラグ５２に位置調整可能に螺着され、開閉弁体５３を進退作動する操作ねじ軸５４等によって構成されている。
【００３３】
第１プラグ５１は、中間径孔１７ｂに嵌合する嵌合部５１ａを備え、この嵌合部５１ａの一端（先端）は上記した第２ハウジング２２の端部に当接し、第１プラグ５１の締め込みによって、第２ハウジング２２に締結された第１ハウジング２１を収容孔１７の中間径孔１７ｂの底面に当接固定するようになっている。第１プラグ５１の嵌合部５１ａの外周と中間径孔１７ｂとの間は、Ｏリングとバックアップリングからなるシール手段５５によってシールされている。また、第１プラグ５１の嵌合部５１ａの中心部には、開閉弁体５３が摺動可能に嵌装され、嵌合部５１ａの内周と開閉弁体５３の外周との間は、Ｏリングとバックアップリングからなるシール手段５６によってシールされている。
【００３４】
開閉弁体５３の先端部は、第２ハウジング２２の凹陥部３３内に隙間を有して突入されている。また、開閉弁体５３の先端面の中心部には、凹部６１が形成され、その周りに環状の突起５３ａが形成される。開閉弁体５３の凹部６１には、逆止弁装置８の第２ハウジング２２の隔壁２２ａに形成された開閉流路３４を開閉するリング状の樹脂製シート６２が圧入されている。樹脂製シート６２は、例えば、ポリイミド樹脂からなり、隔壁２２ａに平面接触して開閉流路３４を開閉するようになっている。樹脂製シート６２の厚みは、自由状態において、凹部６１の深さよりも大きくしてあり、開閉流路３４を開放している状態においては、開閉弁体５３の環状突起５３ａの先端よりも突出されている。
【００３５】
第２プラグ５２は、大径孔１７ｃのねじ部に、第１プラグ５１の外方位置に螺着されている。第２プラグ５２には、六角穴６３を形成した操作ねじ軸５４が位置調整可能に螺合され、かつロックナット６４により任意の位置でロックできるようになっている。
【００３６】
第１プラグ５１と開閉弁体５３との間には、スプリング６５が設けられ、このスプリング６５の付勢力によって、通常開閉弁体５３は操作ねじ軸５４に当接する位置に後退され、開閉流路３４を開放している。六角穴６３を回して操作ねじ軸５４を前進させることにより、開閉弁体５３をスプリング６５の付勢力に抗して移動させることができ、開閉弁体５３の先端部に設けた樹脂製シート６２を第２ハウジング２２の隔壁２２ａに面接触させて押し潰し、開閉流路３４を閉止する。この際、樹脂製シート６２が所定量圧縮されると、開閉弁体５３の環状突起５３ａが隔壁２２ａの端面に当接するため、樹脂製シート６２の過剰な潰しを防止できる。なお、操作ねじ軸５４上には、操作ねじ軸５４の後退位置を規制する規制板６７が設けられている。
【００３７】
上記した実施の形態における逆止弁装置８によれば、第１および第２ハウジング２１、２２を締結して逆止弁装置８を構成する際に、樹脂製シート２７の周縁部を、第１および第２ハウジング２１、２２の各端面間で押し潰して、樹脂製シート２７の一端と第１ハウジング２１の端面との面圧を高めるようになっている。また、樹脂製シート２７が当接する第１ハウジング２１の端面に環状凹溝４１を形成して、これにＯリング４２を装着している。
【００３８】
これにより、ガスタンク１に充填された高圧の水素ガスの圧力が逆止弁体２３に作用することにより、第１および第２ハウジング２１、２２の締結によって発生した樹脂製シート２７の応力が緩和され、樹脂製シート２７の一端と第１ハウジング２１の端面との面圧が低下しても、Ｏリング４２によって水素ガスの漏れを確実に防止できるようになる。
【００３９】
しかも、樹脂製シート２７の一端と第１ハウジング２１の端面との面圧が低下しても、樹脂製シート２７の一端は第１ハウジング２１の端面に密着されているため、Ｏリング４２がはみ出すことがなく、バックアップリングを不要にすることができる。これによって、バックアップリングを使用しなくても、Ｏリング４２のはみ出しに対する信頼性を向上することができ、部品点数の削減が可能となる。
【００４０】
一方、上記した実施の形態における手動開閉弁装置９によれば、操作ねじ軸５４を回転することによって、開閉弁体５３をスプリング６５の付勢力に抗して逆止弁体２３に向かって移動させることにより、開閉弁体５３の先端に装着された樹脂製シート６２が、第２ハウジング２２の隔壁２２ａの端面に押付けられて圧縮され、隔壁２２ａの端面に平面接触される。これによって、隔壁２２ａに形成された開閉流路３４が閉止され、充填路５内における水素ガスの流通が遮断される。この際、樹脂製シート６２が所定量圧縮されると、開閉弁体５３の環状突起５３ａが隔壁２２ａの端面に当接するため、樹脂製シート６２の過剰な潰しを防止できる。
【００４１】
操作ねじ軸５４を上記と反対方向に回転することにより、開閉弁体５３をスプリング６５の付勢力によって逆止弁体２３より離れる方向に移動させることができ、開閉弁体５３の先端に装着された樹脂製シート６２が、第２ハウジング２２の隔壁２２ａより離間され、開閉流路３４が開放される。
【００４２】
この状態で、第２流路１９より水素ガスを導入すると、水素ガスは、フィルタ３５を通って凹陥部３３内に流入され、開閉流路３４を介して逆止弁体２３に作用し、逆止弁体２３をスプリング３０の付勢力に抗して押動する。これにより、弁座２９が開放され、水素ガスは第１流路１８に流入して、タンク本体２内に充填される。
【００４３】
上記した実施の形態においては、第１および第２ハウジング２１，２２の間に配設される樹脂製シート２７を、弾性変形によって環状凹溝４１内に嵌り込むようにしたが、樹脂製シート２７として、予め環状凹溝４１内に嵌り込む突部を形成したものを用いてもよい。
【００４４】
また、上記した実施の形態においては、手動開閉弁装置９を平面接触によって開閉流路３４を開閉させるように構成したが、逆止弁装置８と同様に、テーパ接触によって開閉流路を開閉させるようにしてもよい。
【００４５】
斯様に、本発明は上記した実施の形態に限定されるものではなく、特許請求の範囲に記載した本発明の主旨を逸脱しない範囲内で種々の形態を採り得ることは勿論である。
【図面の簡単な説明】
【００４６】
【図１】本発明の実施の形態を示すガスタンクの回路図である。
【図２】本発明の実施の形態を示す逆止弁装置および手動開閉弁装置の断面図である。
【図３】図２の要部を拡大した拡大断面図である。
【図４】図３の一部をさらに拡大した拡大断面図である。
【図５】第１および第２ハウジングの締結前の状態を示す図である。
【符号の説明】
【００４７】
１…ガスタンク、２…タンク本体、３…栓体、５…充填路、８…逆止弁装置、９…手動開閉弁装置、１６…栓体ハウジング、１７…収容孔、２１…第１ハウジング、２２…第２ハウジング、２３…逆止弁体、２６…弁孔、２７…樹脂製シート、２９…弁座、３３…凹陥部、３４…開閉流路、４１…環状凹溝、４２…シールリング（Ｏリング）、５１、５２…プラグ、５３…開閉弁体、５４…操作ねじ軸、６１…凹部、６２…樹脂製シート。
【図１】
2009074625.tif 000003
【図２】
2009074625.tif 000004
【図３】
2009074625.tif 000005
【図４】
2009074625.tif 000006
【図５】
2009074625.tif 000007